【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、前記方法は、
コーディングユニットに重み付き差分色変換を適用することに関連するコストを決定することと、ここにおいて、前記重み付き差分色変換が、
【数１】
2016526830.tif 000001
を備え、
前記コストに基づいて、前記重み付き差分色変換を前記コーディングユニットに適用すべきかどうか決定することと、
前記重み付き差分色変換を前記コーディングユニットに適用するとの前記決定に基づいて、ピクセル領域残差係数の第２のブロックを生成するために、前記重み付き差分色変換を使用して、前記コーディングユニットの第１のブロックを変換することと、
ここにおいて、前記第１のブロックは、前記コーディングユニットのピクセル領域残差係数を備え、
前記重み付き差分色変換が前記第１のブロックに適用されているかどうかを示すデータをシグナリングすることと、
ピクセル領域残差係数の前記第２のブロックを符号化することと、
ビットストリーム内で、α1とα2との値を符号化することと、
を備える、方法。
【請求項２】
α1とα2との前記値は、
整数のセットと、２進数のセットと、２進数をもつ分数のセットとからなるグループのうちの少なくとも１つを備える値のセットに制約される、請求項１に記載の方法。
【請求項３】
ビデオデータを復号する方法であって、前記方法は、
ビットストリーム中でコード化ユニットに関連するシンタックスデータを受信することと、前記シンタックスデータが逆重み付き差分色変換のうちの１つを示し、前記逆重み付き差分色変換が、
【数２】
2016526830.tif 000002
を備え、
前記受信されたシンタックスデータ基づいて、前記逆重み付き差分色変換を適用するかどうか決定することと、
前記ビットストリームから、α1とα2との値を復号することと、
前記逆重み付き差分色変換を前記コーディングユニットに適用するとの前記決定に基づいて、ピクセル領域残差係数の第２のブロックを生成するために、前記逆重み付き差分色変換を使用して、前記コーディングユニットの第１のブロックを、逆変換することと、
ここにおいて、前記第１のブロックは、前記コーディングユニットのピクセル領域残差係数を備え、
ピクセル領域残差係数の前記第２のブロックを復号することと、
を備える、方法。
【請求項４】
α1とα2との前記値は、
整数のセットと、２進数のセットと、２進数をもつ分数のセットとからなるグループのうちの少なくとも１つを備えるセット値に制約される、請求項３に記載の方法。
【請求項５】
前記方法は、
前記コード化ユニットについてフラグシンタックス要素の値を復号することと、
前記フラグシンタックス要素の前記値に基づいて前記第１のブロックに前記逆重み付き色変換を適用すべきかどうかを決定することと、
をさらに備え、
ここにおいて、前記フラグの第１の値は、前記逆重み付き色変換を適用することを示し、および
ここにおいて、前記フラグの第２の値は、前記逆重み付き色変換を適用しないことを示す、請求項３に記載の方法。
【請求項６】
ビデオデータを符号化するためのデバイスであって、前記デバイスは、
ビデオデータを記憶するように構成されたメモリと、
コーディングユニットに重み付き差分色変換を適用することに関連するコストを決定することと、ここにおいて、前記重み付き差分変換を決定することが、
【数３】
2016526830.tif 000003
を備え、
前記コストに基づいて、前記重み付き差分色変換を前記コーディングユニットに適用すべきかどうか決定することと、
前記重み付き差分色変換を前記コーディングユニットに適用するとの前記決定に基づいて、ピクセル領域残差係数の第２のブロックを生成するために、前記重み付き差分色変換を使用して、前記コーディングユニットの第１のブロックを変換することと、
ここにおいて、前記第１のブロックは、前記コーディングユニットのピクセル領域残差係数を備え、
前記重み付き差分色変換が前記第１のブロックに適用されているかどうかを示すデータをシグナリングすることと、
ピクセル領域残差係数の前記第２のブロックを符号化することと、
ビットストリーム内で、α1とα2との値を符号化することと、
を行うように構成された少なくとも１つのプロセッサとを備える、デバイス。
【請求項７】
前記デバイスは、
集積回路と、
マイクロプロセッサと、
ワイヤレス通信デバイスとのうちの少なくとも１つを備える、請求項６に記載のデバイス。
【請求項８】
α1とα2との前記値は、
整数のセットと、２進数のセットと、２進数をもつ分数のセットとからなるグループのうちの少なくとも１つを備える値のセットに制約される、請求項６に記載のデバイス。
【請求項９】
ビデオを復号するためのデバイスであって、前記デバイスは、
ビットストリーム中でコード化ユニットに関連するシンタックスデータを受信するための手段と、前記シンタックスデータが逆重み付き差分色変換を示し、前記逆重み付き差分色変換が、
【数４】
2016526830.tif 000004
を備え、
前記ビットストリームから、α1とα2との値を復号するための手段と、
前記逆重み付き差分色変換を前記コーディングユニットに適用するとの前記決定に基づいて、ピクセル領域残差係数の第２のブロックを生成するために、前記逆重み付き差分色変換を使用して、前記コーディングユニットの第１のブロックを、逆変換するための手段と、
ここにおいて、前記第１のブロックは、前記コーディングユニットのピクセル領域残差係数を備え、
ピクセル領域残差係数の前記第２のブロックを復号するための手段と、
を備える、デバイス。
【請求項１０】
前記デバイスは、
ビデオデータを記憶するように構成されたメモリを備え、
シンタックスデータを受信するための前記手段、α1とα2との前記値を復号するための前記手段、およびコード化データの前記第１のブロックを、逆変換するための前記手段は、少なくとも１つのプロセッサを備える、請求項９に記載のビデオデータを復号するためのデバイス。
【請求項１１】
前記デバイスは、
集積回路と、
マイクロプロセッサと、
ワイヤレス通信デバイスとのうちの少なくとも１つを備える、請求項１０に記載のデバイス。
【請求項１２】
α1とα2との前記値は、
整数のセットと、２進数のセットと、２進数をもつ分数のセットとからなるグループのうちの少なくとも１つを備えるセット値に制約される、請求項１０に記載のデバイス。
【請求項１３】
前記少なくとも１つのプロセッサは、
前記コード化ユニットについてフラグシンタックス要素の値を復号することと、
前記フラグシンタックス要素の前記値に基づいて前記第１のブロックに前記逆重み付き色変換を適用すべきかどうかを決定することと、
を行うようにさらに構成され、
ここにおいて、前記フラグの第１の値は、前記逆重み付き色変換を適用することを示し、および
ここにおいて、前記フラグの第２の値は、前記逆重み付き色変換を適用しないことを示す、請求項１０に記載のデバイス。
【請求項１４】
実行されたとき、少なくとも１つのプロセッサに、請求項１から請求項８のうちのいずれか一項に記載の方法を実施させる命令を記憶した非一時的コンピュータ可読記憶媒体。